(57)【特許請求の範囲】
【請求項１】
ボウル形状の汚物受け面と、当該汚物受け面の上縁部に形成されたリム部と、を有するボウル部と、
前記ボウル部内に設けられ、前記ボウル部内に洗浄水を吐水して当該洗浄水による旋回流を形成する吐水部と、
前記吐水部まで洗浄水を導水する導水路と、
前記ボウル部の下方に接続された排水路と、
を備え、
前記リム部は、前記ボウル部の前記上縁部に対して内周側に位置するリム内壁部を有しており、
前記リム内壁部は、当該リム内壁部の下部領域に位置して直線状または内側に凹の曲線状の鉛直方向断面を有するリム内側面と、当該リム内側面の上方端から当該リム内壁部の上方端まで傾斜状の鉛直方向断面を有するリム内壁上部傾斜面と、を有しており、
前記ボウル部の前方側領域における任意の鉛直方向断面において、前記リム内側面の高さと前記リム内壁上部傾斜面の高さとの比が、１：１〜６：１の範囲内であり、
前記リム内側面の高さに対する前記リム内壁上部傾斜面の高さの比は、最前部での鉛直方向断面において、前記ボウル部の前方側領域における他の部位での鉛直方向断面におけるよりも、小さい
ことを特徴とする水洗式大便器。
【請求項２】
前記リム内壁上部傾斜面は、円弧状の鉛直方向断面を有している
ことを特徴とする請求項１に記載の水洗式大便器。
【請求項３】
前記リム内壁上部傾斜面は、１０ｍｍ〜３０ｍｍの範囲の曲率半径を有する円弧状の鉛直方向断面を有している
ことを特徴とする請求項２に記載の水洗式大便器。
【請求項４】
前記リム内側面の高さに対する前記リム内壁上部傾斜面の高さの比は、前記吐水部の水流方向下流側で洗浄水が最速となる部位での鉛直方向断面において、前記ボウル部の前方側領域における他の部位での鉛直方向断面におけるよりも、小さい
ことを特徴とする請求項１乃至３のいずれかに記載の水洗式大便器。
【請求項５】
前記リム内側面の高さに対する前記リム内壁上部傾斜面の高さの比は、前記吐水部の水流方向に見て前記リム部の平面視での曲率半径が減少する部位での鉛直方向断面において、前記吐水部から前記部位に至るまでの領域における他の部位での鉛直方向断面におけるよりも、小さい
ことを特徴とする請求項１乃至４のいずれかに記載の水洗式大便器。
【発明の詳細な説明】
【技術分野】
【０００１】
本発明は、水洗式大便器に係り、特に、洗浄水源から供給される洗浄水により便器本体を洗浄して汚物を排出する水洗式大便器に関する。
【背景技術】
【０００２】
従来から、特許文献１に記載されているように、水洗式大便器の後方上部に重力給水式の貯水タンクが給水装置として設けられている洗い落とし式の水洗式大便器において、リム部の内周面がほぼ鉛直方向に立ち上がるように形成され、前方側領域に形成されたリム吐水口から洗浄水が吐水されてボウル部内を旋回しながら洗浄する水洗式大便器が知られている。
【先行技術文献】
【特許文献】
【０００３】
【特許文献１】特開２０１３−４４１７８号公報
【発明の概要】
【発明が解決しようとする課題】
【０００４】
このような水洗式大便器に、重力給水式の貯水タンクを用いず、水道等に直結され、水道水の圧力により給水する直圧式の給水装置を適用しようとする場合には、水道の直圧により加圧されている高い瞬間流量を有する洗浄水がリム吐水口から吐水され、ほぼ鉛直方向に立ち上がるように形成されるリム部の内周面を越えて便器外に水飛びするという懸念があった。従って、従来は、リム部の内周面をほぼ鉛直方向に形成しようとする場合には、水圧変動の影響を受けない洗浄水を供給する重力給水式の貯水タンクのみが用いられていた。
そこで、このような問題を解決するために、リム部の内周面をその上部が内側に向かってオーバーハングしたオーバーハング形状に形成することにより、比較的高い流量の洗浄水がリム吐水口から吐水される場合においても、リム部の内周面を越えて便器外に水飛びすることを抑制することが検討されている。
【０００５】
一方で、便器本体のリム部について、リム部上部の内周側の角を大きく丸めるようにして、使用者がリム部を清掃しやすい形状とし、使用者のリム部の清掃性を向上させようとする水洗式大便器が検討されている。
また、便器本体のリム部について、リム部上部の内周側の角を大きく丸めるように形成することにより、使用者において汚物受け面の上部が外側に広がるように感じられ、すなわち、ボウル部を従来よりも比較的大きく見せることができ、使用時に尿をボウル部内へ排出しやすいという安心感を使用者に与えることができる水洗式大便器も検討されている。
【０００６】
しかしながら、このような清掃性等の高いリム部を採用する、すなわち、リム部の上部を大きく丸めるように形成すると、リム部の内周面の高さが低くなる。従って、リム部をオーバーハング形状に形成せず、リム吐水口から吐水される洗浄水が比較的高い瞬間流量を有する場合には、リム部の内周面を越えて便器外に水飛びしやすくなるという課題が生じる。この課題は、清掃性の高いリム部形状を有する水洗式大便器に直圧式の給水装置を採用する場合、リム吐水口から吐水される洗浄水が高い瞬間流量を有するため、より顕著に生じることとなる。
【０００７】
そこで、本発明は、内側が下方に傾斜するリム内壁上部傾斜面を備え、汚物受け面の上部が外側に広がるように視認されて使用者の視認性を向上させると共に清掃性を向上させた水洗式大便器において、洗浄水が遠心力により当該リム内壁上部傾斜面を乗り越えてボウル部の外側に飛び出してしまうことを抑制できる水洗式大便器を提供することを目的としている。
【課題を解決するための手段】
【０００８】
本発明は、ボウル形状の汚物受け面と、当該汚物受け面の上縁部に形成されたリム部と、を有するボウル部と、前記ボウル部内に設けられ、前記ボウル部内に洗浄水を吐水して当該洗浄水による旋回流を形成する吐水部と、前記吐水部まで洗浄水を導水する導水路と、前記ボウル部の下方に接続された排水路と、を備え、前記リム部は、前記ボウル部の前記上縁部に対して内周側に位置するリム内壁部を有しており、前記リム内壁部は、当該リム内壁部の下部領域に位置して直線状または内側に凹の曲線状の鉛直方向断面を有するリム内側面と、当該リム内側面の上方端から当該リム内壁部の上方端まで傾斜状の鉛直方向断面を有するリム内壁上部傾斜面と、を有しており、前記ボウル部の前方側領域における任意の鉛直方向断面において、前記リム内側面の高さと前記リム内壁上部傾斜面の高さとの比が、１：１〜６：１の範囲内であり、前記リム内側面の高さに対する前記リム内壁上部傾斜面の高さの比は、最前部での鉛直方向断面において、前記ボウル部の前方側領域における他の部位での鉛直方向断面におけるよりも、小さいことを特徴とする水洗式大便器である。
【０００９】
本発明によれば、傾斜状の鉛直方向断面を有するリム内壁上部傾斜面が設けられているため、汚物受け面の上部が外側に広がるように視認されて使用者の視認性が向上されており、また、清掃性も向上されている。そして、ボウル部の前方側領域における任意の鉛直方向断面において、リム内側面の高さと内壁上部傾斜面の高さとの比が１：１〜６：１の範囲内に調整されていることにより、洗浄水が遠心力によってリム内壁上部傾斜面を乗り越えて飛び出してしまうことが効果的に防止されている。更に、本件発明者によれば、リム内側面の高さとリム内壁上部傾斜面の高さとの比が１：１〜６：１の範囲内に調整されていることは、いわゆる尿のかけ上がりを抑制する上でも効果的であることが確認された。また、リム内側面の高さに対するリム内壁上部傾斜面の高さの比が、最前部での鉛直方向断面において、前記ボウル部の前方側領域における他の部位での鉛直方向断面におけるよりも小さいことにより、着座姿勢での排尿時において最前部での尿のかけ上がりを抑制することができる。
【００１０】
例えば、リム内壁上部傾斜面は、円弧状の鉛直方向断面を有していることが好ましい。このようなリム内壁上部傾斜面は、比較的簡易に形成することができるし、拭き掃除を行う上でも便利である。好適な寸法例としては、リム内壁上部傾斜面は、１０ｍｍ〜３０ｍｍの範囲の曲率半径を有する円弧状の鉛直方向断面を有していることが好ましい。
【００１１】
洗浄水がリム内壁上部傾斜面を乗り越えて飛び出してしまうことを更に効果的に防止するためには、リム内側面の高さに対するリム内壁上部傾斜面の高さの比は、吐水部の水流方向下流側で洗浄水が最速となる部位での鉛直方向断面において、前記ボウル部の前方側領域における他の部位での鉛直方向断面におけるよりも小さいことが好ましい。
【００１２】
また、遠心力の原理を考慮すれば、洗浄水がリム内壁上部傾斜面を乗り越えて飛び出してしまうことを更に効果的に防止するためには、リム内側面の高さに対するリム内壁上部傾斜面の高さの比は、吐水部の水流方向に見てリム部の平面視での曲率半径が減少する部位での鉛直方向断面において、吐水部から前記部位に至るまでの領域における他の部位での鉛直方向断面におけるよりも小さいことが好ましい。
【発明の効果】
【００１４】
本発明によれば、傾斜状の鉛直方向断面を有するリム内壁上部傾斜面が設けられているため、汚物受け面の上部が外側に広がるように視認されて使用者の視認性が向上されており、また、清掃性も向上されている。そして、後方領域を除く任意の鉛直方向断面において、リム内側面の高さとリム内壁上部傾斜面の高さとの比が１：１〜６：１の範囲内に調整されていることにより、洗浄水が遠心力によってリム内壁上部傾斜面を乗り越えて飛び出してしまうことが効果的に防止されている。更に、本件発明者によれば、リム内側面の高さとリム内壁上部傾斜面の高さとの比が１：１〜６：１の範囲内に調整されていることは、いわゆる尿のかけ上がりを抑制する上でも効果的であることが確認された。
【図面の簡単な説明】
【００１５】
【図１】本発明の第１実施形態による水洗式大便器の給水装置及びカバーを側面から見た状態を示し、便器本体の内部を中央断面に沿って示す部分断面図である。
【図２】本発明の第１実施形態による水洗式大便器において、カバー及び給水装置の一部を取り外した状態を示す平面図である。
【図３】本発明の第１実施形態による水洗式大便器を示す全体構成図である。
【図４】図２のIV−IV線に沿って見た断面図である。
【図５】図２のV−V線に沿って見た断面図である。
【図６】本発明の第１実施形態による水洗式大便器のリム吐水口の近傍におけるリム部を拡大して示す拡大断面図である。
【図７】本発明の第１実施形態による水洗式大便器のリム部のリム内壁上部傾斜面に沿うように使用者の手指がかけられた状態を示す図である。
【図８】従来の水洗式大便器のリム内壁上部縁部に使用者の手指がかけられた状態を示す図である。
【図９】本発明の第１実施形態による水洗式大便器の複数の鉛直方向断面を示す図である。
【図１０】本発明の第１実施形態の変形例による水洗式大便器の複数の鉛直方向断面を示す図である。
【図１１】本発明の第２実施形態による水洗式大便器において、カバー及び給水装置の一部を取り外した状態を示す平面図である。
【図１２】本発明の第３実施形態による水洗式大便器において、カバー及び給水装置の一部を取り外した状態を示す平面図である。
【発明を実施するための形態】
【００１６】
次に、添付図面を参照して、本発明の実施形態による水洗式大便器を説明する。
先ず、図１乃至図３により、本発明の第１実施形態による水洗式大便器の構造を説明する。ここで、図１は本発明の第１実施形態による水洗式大便器の給水装置及びカバーを側面から見た状態を示し、便器本体の内部を中央断面に沿って示す部分断面図であり、図２は本発明の第１実施形態による水洗式大便器において、カバー及び給水装置の一部を取り外した状態を示す平面図であり、図３は本発明の第１実施形態による水洗式大便器を示す全体構成図である。
【００１７】
図１及び図２に示すように、本発明の第１実施形態による水洗式大便器１は、便器本体２と、当該便器本体２の上面に配置された便座（図示せず）と、当該便座を覆うように配置されたカバー４と、便器本体２の後方に配置された給水装置６と、を備えている。
便器本体２は陶器製であり、便器本体２には、汚物を受けるボウル部８と、このボウル部８の底部から延びる排水トラップ管路１０（排水路）と、ジェット吐水を行うジェット吐水口１２と、リム吐水を行う単一のリム吐水口１４（吐水部）と、が形成されている。
【００１８】
ジェット吐水口１２は、ボウル部８の底部に形成されており、排水トラップ管路１０の入口に指向してほぼ水平に配置され、洗浄水を排水トラップ管路１０に向けて吐出するようになっている。
【００１９】
リム吐水口１４は、ボウル部８の前方側から見てボウル部８の左側上部前方に形成されており、ボウル部８の縁に沿って前方側へ洗浄水を吐出するようになっている。
なお、本実施形態においては、便器本体２にジェット吐水口１２が形成されているが、本発明はこのような形態に限定されるものではなく、例えば、ジェット吐水口が形成されないでリム吐水口のみが形成されていてもよい。
【００２０】
排水トラップ管路１０は、入口部１０ａと、この入口部１０ａから上昇するトラップ上昇管１０ｂと、このトラップ上昇管１０ｂから下降するトラップ下降管１０ｃと、からなっている。
【００２１】
第１実施形態による水洗式大便器１は、洗浄水を供給する水道に直結されており、水道の給水圧力によってリム吐水口１４から洗浄水が吐出される。また、ジェット吐水に関しては、後述するように、給水装置６に内蔵された貯水タンク２８に貯水された洗浄水が加圧ポンプ３０によって加圧されて、大流量でジェット吐水口１２から吐出されるようになっている。すなわち、本実施形態における水洗式大便器１は、ハイブリッド式（水道直圧式＋タンク給水式）の給水装置を有するハイブリッド式水洗式大便器である。
もっとも、水洗式大便器１の給水装置６は、ハイブリッド式の給水装置以外にも適用可能である。例えば、水道の水圧を利用して給水する水道直圧式の給水装置のみを備えた水道直圧式や、フラッシュバルブ式や、ポンプの補圧を利用して洗浄水を供給するタイプであってもよい。また、アキュムレーター等を用いて便器に洗浄水を供給するタイプの給水装置であってもよい。
留意が必要なのは、リム吐水を水道の水圧（水道直圧式）を利用して行う場合、水道の水圧によってリム吐水の洗浄水の流量が比較的高い流量（比較的高い瞬間流量）になることである。
【００２２】
次に、図３により、第１実施形態による水洗式大便器１の給水装置６を詳細に説明する。
図３に示すように、給水装置６には、定流量弁（定流量手段）１６と、電磁弁１８と、逆流防止用のリム吐水用バキュームブレーカ２０と、逆流防止用のリム吐水用フラッパー弁２２と、が設けられている。さらに、給水路２４には、タンクへの給水とリム吐水とを切り替える切替弁２６と、貯水タンク２８と、加圧ポンプ３０と、ジェット吐水用バキュームブレーカ３２と、ジェット吐水用フラッパー弁３４と、水抜栓３６と、が内蔵されている。また、給水装置６には、電磁弁１８の開閉操作、切替弁２６の切換操作、及び、加圧ポンプ３０の回転数や作動時間等を制御するコントローラ３８、が内蔵されている。このような構成の少なくとも一部により、給水装置６は、洗浄水を便器本体２に給水する給水装置として機能することができる。
【００２３】
定流量弁１６は、止水栓４０ａ、ストレーナ４０ｂ、及び分岐金具４０ｃを介して流入した洗浄水を、所定の流量（瞬間流量）以下に抑制することができる。本実施形態においては、この定流量弁１６は、例えば洗浄水の流量（瞬間流量）を１０リットル／分以上２０リットル／分以下に制限するようになっており、より好ましくは１２リットル／分以上１６リットル／分以下に制限するようになっている。このように、定流量弁１６は、洗浄水の流量が増加した場合に、リム吐水口１４から吐水される洗浄水の流量を所定の瞬間流量以下に抑制する。また、定流量弁１６は、洗浄水の瞬間流量が低下した場合に、所定の瞬間流量以上に維持することもできる。従って、定流量弁１６は、洗浄水の瞬間流量が変動する場合に、供給する洗浄水の流量を所定の瞬間流量以上且つ所定の瞬間流量以下の所定の瞬間流量の範囲内に維持することができる。
定流量弁１６を通過した洗浄水は、電磁弁１８に流入し、電磁弁１８を通過した洗浄水は、切替弁２６により、リム吐水口１４又は貯水タンク２８に供給されるようになっている。この切替弁２６は、リム側であるリム側給水路１４ａとタンク側であるタンク側給水路２８ａとの両方に同じタイミングで洗浄水を供給可能であって、リム側とタンク側への給水量の割合を任意に変更することができる切替弁である。
【００２４】
電磁弁１８は、コントローラ３８の制御信号により開閉され、供給された洗浄水を切替弁２６に流入させ、又は停止させるようになっている。
また、切替弁２６は、コントローラ３８の制御信号により切り替えられ、電磁弁１８を介して流入した洗浄水をリム吐水口１４から吐出させ、又は、貯水タンク２８に流入させるようになっている。
【００２５】
貯水タンク２８は、ジェット吐水口１２から吐水すべき洗浄水を貯水するように構成されている。なお、本実施形態において、貯水タンク２８は、約２．５リットルの内容積を有する。
貯水タンク２８の内部には、上端フロートスイッチ２８ｂ及び下端フロートスイッチ２８ｃが配置されており、貯水タンク２８内の水位を検出できるようになっている。上端フロートスイッチ２８ｂは、貯水タンク２８内の水位が所定の貯水水位に達するとオンに切り替わり、コントローラ３８はこれを検知して、電磁弁１８を閉鎖させる。一方、下端フロートスイッチ２８ｃは、貯水タンク２８内の水位が所定の水位まで低下するとオンに切り替わり、コントローラ３８はこれを検知して、加圧ポンプ３０を停止させる。
【００２６】
加圧ポンプ３０は、貯水タンク２８に貯水された洗浄水を加圧して、ジェット吐水口１２から吐出させるためのものである。加圧ポンプ３０は、貯水タンク２８の下部から延びる洗浄水管路３０ａにより接続され、貯水タンク２８内に貯水された洗浄水を加圧する。
なお、本実施形態においては、加圧ポンプ３０は、貯水タンク２８内の洗浄水を加圧して、洗浄水を最大約１２０リットル／分の流量でジェット吐水口１２から吐出させるようになっている。
また、洗浄水管路３０ａの途中には、逆止弁であるジェット吐水用フラッパー弁３４及び水抜栓３６が設けられている。
一方、加圧ポンプ３０の流出口は、洗浄水管路３０ｂを介して、ボウル部８底部のジェット吐水口１２に接続されている。
【００２７】
ジェット吐水用バキュームブレーカ３２は、加圧ポンプ３０及び洗浄水管路頂部４２の下流側から分岐した分岐管路３２ａに接続されており、ボウル部８内の溜水が貯水タンク２８側へ逆流するのを防止すると共に、それらの間の縁切りを行うようになっている。
【００２８】
コントローラ３８は、使用者による便器洗浄スイッチ（図示せず）の操作により、電磁弁１８、切替弁２６、加圧ポンプ３０を順次作動させ、リム吐水口１４及びジェット吐水口１２からの吐水を順次開始させて、ボウル部８を洗浄する。さらに、コントローラ３８は、洗浄終了後、電磁弁１８を開放し、切替弁２６を貯水タンク２８側に切り替えて洗浄水を貯水タンク２８に補給する。貯水タンク２８内の水位が上昇し、上端フロートスイッチ２８ｂが規定の貯水量を検出すると、コントローラ３８は、電磁弁１８を閉鎖して給水を停止する。
【００２９】
再び、便器本体２の各部について説明する。
ボウル部８は、ボウル形状に形成された汚物受け面４４と、ボウル部８の全周の上方外側に形成されて便器本体２の上縁部を形成するリム部４６と、を備えている。また、ボウル部８の下方には、溜水部４８が形成されている。この溜水部４８には、洗浄水が毎回の洗浄後に所定量まで貯溜されて溜水面Ｗ0  が形成されている。この溜水部４８の下方には、上述した排水トラップ管路１０の入口部１０ａが開口し、排水トラップ管路１０のトラップ下降管１０ｃの下端は排水ソケット（図示せず）を介して床下の排出管（図示せず）に接続されている。
【００３０】
導水路５０は、給水装置６から延びるリム側給水路１４ａに接続される入口部５０ａから前方に延び、ボウル部８を前後方向に二等分する左右方向に延びる中心線に対して前方側であるボウル部８の前方側領域の左側において前向きに開口するリム吐水口１４と連通している。リム吐水口１４は、洗浄水をボウル部８の前方側領域から前方に吐水し、ボウル部８の前端に向かう流れを形成し、さらにボウル部８の前端８ａから折り返して後方側に向かう流れを形成するようになっている。
【００３１】
リム吐水口１４から吐水される洗浄水は、リム吐水口１４からリム部４６と汚物受け面４４との間の面上且つリム部４６の内側面５２ｂ上に便器前方方向に吐水されて旋回流が形成され、この旋回流がリム部４６の内側面５２ｂから汚物受け面４４上を溜水部４８の方向に旋回しながら流下する下降流が形成されるようになっている。
【００３２】
続いて、図１乃至図６を参照して、前述したリム部４６について詳細に説明する。
図４は、図１のIV−IV線に沿って見た断面図であり、図５は図１のV−V線に沿って見た断面図であり、図６は本発明の第１実施形態による水洗式大便器のリム吐水口の近傍におけるリム部を拡大して示す拡大断面図である。
【００３３】
リム部４６は、当該リム部４６の内周面を形成し且つ汚物受け面４４の上端４４ａから便器本体２の頂部まで立ち上がるように立壁状に形成されているリム内壁部５２と、当該リム部４６の上面を形成するリム上面部５４と、リム部４６の外周面を形成し且つ便器本体２の外面上をリム上面部５４まで立ち上がるように立壁状に形成されているリム外壁部５６と、を有している。
【００３４】
リム内壁部５２は、当該リム内壁部５２の上部領域であって内側（汚物受け面４４側）が下方に傾斜するリム内壁上部傾斜面５２ａと、多くの鉛直断面においてリム内壁上部傾斜面５２ａまで略鉛直方向に直線状に延びる断面（一部の鉛直断面においてはリム内壁上部傾斜面５２ａまで内側に凹の曲線状に延びる断面：例えば図５の右側参照）を有しているリム内側面５２ｂと、を有している。
換言すれば、リム内壁部５２は、当該リム内壁部５２の下部領域に位置して直線状または内側に凹の曲線状の鉛直方向断面を有するリム内側面５２ｂと、当該リム内側面５２ｂの上方端から当該リム内壁部５２の上方端（リム上面部５４）まで傾斜状の鉛直方向断面を有するリム内壁上部傾斜面５２ａと、を有している。
【００３５】
図２等に示された通り、リム内壁部５２は、リム部４６の内側の全周にわたって形成されている。そして、本実施形態では、内側面５２ｂは、大部分の領域において、ほぼ鉛直方向に立ち上がるように形成されている。
また、本実施形態では、リム内壁部５２のうち、ボウル部８のリム吐水口１４から前方側の領域においては、リム吐水口１４から吐水される洗浄水の流速が比較的速い領域であることを考慮して、内側面５２ｂの上部及びリム内壁上部傾斜面５２ａがボウル部８の内側に向かってオーバーハングした形状に形成されている（図１及び図２参照）。ボウル部８のリム吐水口１４から前方側の領域を除いては、リム吐水口１４から吐水される洗浄水の流速が比較的遅くなる領域であることを考慮して、内側面５２ｂの上部及びリム内壁上部傾斜面５２ａがオーバーハングした形状を有していない。
【００３６】
リム内壁部５２の高さＨ１（図６参照）は、排水管の高さとも関連して位置決めされている汚物受け面４４の上端４４ａから、便器本体２の高さとも関連して位置決めされている便器本体２の頂部（リム上面部５４）まで、比較的限られた範囲の高さである。つまり、リム内壁部５２の全体の高さは、自由に変更できるわけではなく、比較的限られた高さの範囲の中で調整される。
【００３７】
そして、本件発明者による知見によれば、洗浄水が遠心力によってリム内壁上部傾斜面を乗り越えて飛び出してしまうことを効果的に防止するためには、後方領域を除く任意の鉛直方向断面において、リム内側面の高さＨ３と前記リム内壁上部傾斜面の高さＨ２との比が、１：１〜６：１、より好ましくは１：１〜４：１であることが好適である。
換言すれば、リム内壁部５２のリム内壁上部傾斜面５２ａは、鉛直方向断面において、リム内壁部５２の上端から下端までの所定領域の高さＨ１のうち、２０％〜５０％の範囲の高さＨ２の領域にわたって形成されることが好適であり、リム内壁部５２の内側面５２ｂは、鉛直方向断面において、リム内壁部５２の上端から下端までの所定領域の高さＨ１のうち、５０％〜８０％の範囲の高さＨ３の領域にわたって形成されることが好適である。
【００３８】
さて、リム内壁上部傾斜面５２ａは、横向きのリム上面部５４と縦向きの内側面５２ｂとの間のコーナー部をなめらかに連結する傾斜部を形成している。本実施形態のリム内壁上部傾斜面５２ａは、ボウル部８の中央上方に向かって突出するようなアール形状を形成している。換言すれば、鉛直方向断面において、リム上面部５４と内側面５２ｂとを接続する円弧形状を形成している。
【００３９】
リム内壁上部傾斜面５２ａは、その外側の上端５２ｄがリム上面部５４の高さ位置にあり、リム内壁上部傾斜面５２ａの内側が下方に傾斜するように形成され、リム内壁上部傾斜面５２ａの上方が、下端５２ｃよりも外側に広がるように形成されている。なお、リム内壁上部傾斜面５２ａは、リム上面部５４と内側面５２ｂとの間の面の一部に比較的平坦な面を含みながら、全体的に丸みを帯びるように曲げられている面形状に形成されていてもよい。
【００４０】
リム内壁上部傾斜面５２ａの横向きのリム上面部５４と縦向きの内側面５２ｂとをなめらかに連結する傾斜部は、角を斜めに切り落とすような面取り面のような形状により形成されていてもよい。すなわち、リム上面部５４と内側面５２ｂとの間が所定の角度の平坦面により形成されていてもよい。
例えば、リム部４６の垂直断面において、リム内壁上部傾斜面５２ａの下端５２ｃを通る鉛直線に対し、面取り面が、好ましくは、２０度〜７０度の角度範囲内に平坦面を形成することができ、より好ましくは、３５度〜５５度の角度範囲内に平坦面を形成することができる。また、例えば、面取り面が、その下端５２ｃを通る鉛直線に対し、４５度の角度の平坦面を形成していてもよい。
【００４１】
リム内壁上部傾斜面５２ａは、その表面上の接線の傾きが位置に応じて連続的に変化するような円弧形状に形成されている。従って、使用者が自身の手指をリム内壁上部傾斜面５２ａに沿わせるように配置する場合に、自身の手指とリム内壁上部傾斜面５２ａの面との間に空間を生じさせることを抑制し、手指を全体的に曲面に沿うように自然に配置することができる。なお、リム内壁上部傾斜面５２ａは、人の手指の曲り方に合わせるような他の形状の湾曲面により形成されていてもよい。
なお、上述の使用者が自身の手指をリム内壁上部傾斜面５２ａに沿わせるように配置する場合には、手指全体のみならず、掌、指のみを沿わせる場合も含む。さらに、使用者が手指をリム内壁上部傾斜面５２ａに沿わせる場合には、使用者が便器の清掃等の場合に清掃用の布、トイレットペーパー等の紙等を介して手指をリム内壁上部傾斜面５２ａに沿わせる場合を含んでいる。また、使用者が手指をリム内壁上部傾斜面５２ａに沿わせる場合には、使用者が手指に手袋等をはめた状態で、上記清掃用の布等を介して手指をリム内壁上部傾斜面５２ａに沿わせる場合を含んでいる。
【００４２】
平面視で見た場合に、便器本体２の左右方向（便器本体２を正面から見た場合の横断方向）の中央には、中央側に湾曲しながら下降する曲面を形成する汚物受け面４４が配置され、汚物受け面４４の外側には、同様に内側が下方に下降する曲面を形成するリム内壁上部傾斜面５２ａが配置されることになる。従って、平面視で見た場合に、汚物受け面４４と類似するような、内側に向かって緩やかに下降する曲面のリム内壁上部傾斜面５２ａが、汚物受け面４４の外周に接続して、外側に拡がるような曲面を連続的に形成しているような印象を、使用者に与えることが可能となる。すなわち、使用者は、汚物受け面４４がリム内壁上部傾斜面５２ａの領域分さらに外側にひとまわり拡がったような印象を受けることができる。例えば、男性の使用者が便器本体２の前に立った状態から小便の用を足すような場合に、汚物受け面４４が拡がっているような印象を使用者に与えることは、小便を汚物受け面４４から外してしまう不安感を抑制し、使用者に安心して小便を行えるという安心感を与えることが可能となる。さらに、例えば、使用者が便器本体２上の便座（図示せず）に座った状態から用便をするような場合にも、便座（図示せず）を便器本体２上に降ろす前に汚物受け面４４が拡がっているような印象を使用者に与えることは、用便を汚物受け面４４から外してしまう不安感を抑制し、使用者に安心して用便を行えるという安心感を与えることが可能となる。
【００４３】
図６に示すように、リム内壁上部傾斜面５２ａの下端５２ｃはリム吐水口１４よりも上方に設けられている。より詳細には、リム内壁上部傾斜面５２ａの下端５２ｃはリム吐水口１４の頂部１４ｂよりも上方に設けられている。別の言い方によれば、内側面５２ｂがリム吐水口１４の頂部１４ｂよりも高い高さまで形成されている。従って、リム吐水口１４は、洗浄水をその近傍の下流側の内側面５２ｂに接するように吐水するようになっている。
【００４４】
上述のようなリム内壁上部傾斜面５２ａは、比較的緩やかなアール形状に形成され、左右方向の幅が比較的大きく形成されている。リム内壁上部傾斜面５２ａの上端５２ｄと下端５２ｃとの間の水平方向（例えば便器本体の内側方向から外側方向に向かう方向）の幅Ｗ１は、リム吐水口１４の開口の左右の幅Ｗ３よりも大きく形成されている。リム内壁上部傾斜面５２ａの下端５２ｃはリム吐水口１４よりも上方に設けられているので、リム内壁上部傾斜面５２ａの横方向の幅Ｗ１を比較的大きく形成することができ、リム内壁上部傾斜面５２ａの縦方向の高さＨ１も比較的大きく形成することができる。従って、リム内壁上部傾斜面５２ａを半径の大きな緩やかな円弧形状に沿って内側に下り傾斜するように形成することができる。
【００４５】
リム上面部５４は、水平方向に延びる平坦面を形成し、且つ便器本体２の頂面を形成している。便器本体２のリム部４６を清掃しようとする場合に、使用者はこのリム上面部５４に掌等を水平に沿うように配置した状態で、且つ指を曲げてリム内壁上部傾斜面５２ａ及び内側面５２ｂを清掃することが必要になる。なお、リム上面部５４は水平面に限定されず、ボウル部８に向かった下り傾斜あるいは上り傾斜の面として形成しても良い。また、リム上面部５４は、曲面により形成してもよい。さらに、リム上面部５４をリム内壁上部傾斜面５２ａの上端５２ｄ外側まで延長した傾斜面の一部として形成してもよい。例えば、リム上面部５４をリム内壁上部傾斜面５２ａの一部として形成する場合には、リム内壁上部傾斜面５２ａの上端５２ｄとリム外壁上部傾斜面の上端とを比較的滑らかに接続し、リム部４６の上面を形成することも可能である。
【００４６】
リム外壁部５６は、横向きのリム上面部５４と縦向きのリム外壁とを接続し、リム部４６の上部の外側（便器本体２の外側）の縁を形成するリム外壁上部傾斜面（リム外側縁部）５６ａと、リム外壁上部傾斜面５６ａまで縦方向の壁を形成しているリム外壁５６ｂと、を備えている。
【００４７】
リム外壁上部傾斜面５６ａは、リム上面部５４とリム外壁との間で、角が丸められ、その内側の上端５６ｄがリム上面部５４の高さ位置にあり、その外側が下方に傾斜する縁部を形成している。リム外壁上部傾斜面５６ａは、リム外壁上部傾斜面５６ａの部分を拡大して見ると、外側上方に向かって突出するアール形状を形成している。別の言い方によると、リム上面部５４とリム外壁５６ｂとを接続する円弧形状を形成している。
【００４８】
リム外壁上部傾斜面５６ａは、縦断面（鉛直方向断面）で見た場合に、５ｍｍ〜８ｍｍの半径ｒを有する円弧により形成されている。リム内壁上部傾斜面５２ａは、縦断面で見た場合に、１０ｍｍ〜３０ｍｍ、より好ましくは１６ｍｍ〜２５ｍｍの半径Ｒを有する円弧により形成されている。リム外壁上部傾斜面５６ａを形成する円弧の半径ｒと、リム内壁上部傾斜面５２ａを形成する円弧の半径Ｒとの比率は、１：２〜１：５の範囲の比率に形成されている。また、リム内壁上部傾斜面５２ａの水平方向（例えば便器本体の内側方向から外側方向に向かう方向）の幅Ｗ１は、リム外壁上部傾斜面５６ａの上端５６ｄと下端５６ｃとの間の水平方向（例えば便器本体の内側方向から外側方向に向かう方向）の幅Ｗ２よりも大きく形成されている。リム内壁上部傾斜面５２ａは、１０ｍｍ〜３０ｍｍの半径を有する円弧により形成されているので、使用者が手指をリム内壁上部傾斜面５２ａに掛けた場合に、手指をリム内壁上部傾斜面５２ａに沿って自然に配置することができ、手指とリム部４６との間に空間を比較的大きな空間を生じることなく、握りやすい形状に形成されている。
【００４９】
なお、リム外壁上部傾斜面５６ａは、リム上面部５４とリム外壁５６ｂとの間の面の丸みが連続的に変化していてもよい。すなわち、リム外壁上部傾斜面５６ａは、リム上面部５４とリム外壁５６ｂとの間の面の曲率半径が連続的に変化していてもよい。
また、リム内壁上部傾斜面５２ａは、リム上面部５４と内側面５２ｂとの間に形成される傾斜面が丸みを帯びるように連続的に変化する曲面により形成されていてもよい。すなわち、リム内壁上部傾斜面５２ａは、リム上面部５４と内側面５２ｂとの間の面の曲率半径が連続的に変化していてもよい。
【００５０】
また、上述のように、内側面５２ｂ及びリム内壁上部傾斜面５２ａがリム部４６の全周のうち少なくとも一部において、内側に向かってオーバーハングした形状に形成されているので、施工者、製造者等が手指を、リム部４６のオーバーハング形状の内側にかけながら持ち上げるようにリム部４６を掴みやすくなっている。従って、施工者、製造者等が便器の運搬をする際に、手指をオーバーハング形状に形成されたリム部４６にかけることにより、手指の先をリム内壁上部傾斜面５２ａの下方側に引っかけたような状態で、上方に引上げる荷重をリム部４６に作用させやすくなり、便器の運搬を良好にすることができる。
【００５１】
つぎに、図７及び図８により、上述した使用者がリム部４６を清掃しようとする状態について詳細に説明する。
図７は、本発明の第１実施形態による水洗式大便器のリム部のリム内壁上部傾斜面に沿うように使用者の手指がかけられた状態を示す図であり、図８は従来の水洗式大便器のリム内壁上部縁部に使用者の手指がかけられた状態を示す図である。使用者の手指にＨの参照符号を付して説明する。
【００５２】
本発明の実施形態において、使用者がリム部４６を清掃しようとする状態においては、使用者は、使用者の手指Ｈの掌Ｈａ及び／又は指の掌側の部分Ｈｂをリム上面部５４に接するように配置しながら清掃し、指先Ｈｄ側において内側面５２ｂ側を清掃する。ここで、リム上面部５４は概ね水平の平面を形成し、内側面５２ｂは概ね鉛直方向の壁面を形成していることから、使用者は、指の関節を曲げて内側面５２ｂ側を清掃する。このとき、リム内壁上部傾斜面５２ａが比較的大きな半径の円弧を形成しているので、指の曲り部分（例えばＨｃ、Ｈｄ）を緩やかにでき且つリム内壁上部傾斜面５２ａの円弧に指の曲り部分（例えばＨｃ）に沿わせて配置することができる。従って、使用者は、例えば、使用者の手指Ｈの指の付け根側の掌側の部分Ｈｂとリム上面部５４とを接した状態とし、指の第２関節部分Ｈｃとリム内壁上部傾斜面５２ａとを接した状態とし、指の指先部分Ｈｄと内側面５２ｂとを接した状態とし、同時にリム上面部５４とリム内壁上部傾斜面５２ａと内側面５２ｂとを効率よく清掃することができる。さらに、使用者が手指Ｈを無理に曲げることなくリム上面部５４とリム内壁上部傾斜面５２ａと内側面５２ｂと接した状態とすることができるので、使用者が容易に清掃のために必要とする力を手指Ｈにかけることができる。従って、リム上面部５４、リム内壁上部傾斜面５２ａ及び内側面５２ｂの清掃性も向上されることとなる。
【００５３】
また、使用者がリム上面部５４側からリム内壁上部傾斜面５２ａを越えて内側面５２ｂを清掃しようとする場合に、リム内壁上部傾斜面５２ａに清掃力を十分に作用させることができずに、リム内壁上部傾斜面５２ａの清掃に不具合が生じ、さらなる清掃の手間が生じることを抑制することができる。
【００５４】
これに対し、従来の水洗式大便器３０１においては、図８に示すように、リム部３４６において従来のリム内壁上部縁部３５２ａが形成されている。従来の水洗式大便器３０１においては、使用者がリム部３４６を清掃しようとする状態においては、使用者が、使用者の手指Ｈの掌Ｈａ及び／又は指の掌側の部分Ｈｂをリム上面部３５４に接するように配置しながら清掃するとき、リム内壁上部縁部３５２ａが比較的小さな半径の円弧（リム外壁上部傾斜面３５６ａとほぼ同様の半径の円弧）からなる接続部分（縁部）を形成しているので、リム内壁上部縁部３５２ａの円弧に指の第２関節部分Ｈｃ等の指の曲り部分を沿わせて配置することができない状態となっている。すなわち、使用者の手指Ｈの指の第２関節部分Ｈｃは、リム内壁上部縁部３５２ａから離間した状態となり、指の指先部分Ｈｄは内側面３５２ｂから離間した状態となる。
この状態から、指の指先部分Ｈｄを内側面３５２ｂと接した状態とするためには、掌Ｈａ及び指の掌側の部分Ｈｂをやや持ち上げるようにして、リム上面部３５４から離間させることが必要となる。
【００５５】
また、従来の水洗式大便器３０１においては、人間の手指の関節の可動範囲が限られることから、仮に無理に手指を曲げて、使用者の手指Ｈの指の付け根側部分Ｈｂとリム上面部３５４とを接した状態とし、指の第２関節部分Ｈｃとリム内壁上部縁部３５２ａの上部の一部を接した状態とするとしても、指の第２関節部分Ｈｃとリム内壁上部縁部３５２ａの下部との接触ができないのみならず、指の指先部分Ｈｄと内側面３５２ｂとも接した状態とすることができない。従って、リム内壁上部縁部３５２ａ及び内側面３５２ｂの清掃に不具合が生じ、さらなる清掃の手間が生じる。
【００５６】
また、従来の水洗式大便器３０１においては、人間の手指の関節の可動範囲が限られることから、仮に無理に手指を曲げて、使用者の手指Ｈの指の付け根側部分Ｈｂとリム上面部３５４とを接した状態とし、指の指先部分Ｈｄと内側面３５２ｂとを接した状態とするとしても、同時に指の第２関節部分Ｈｃとリム内壁上部縁部３５２ａとを接した状態とすることができない。従って、リム内壁上部縁部３５２ａの清掃に不具合が生じ、さらなる清掃の手間が生じる。
【００５７】
さらに、使用者が手指Ｈを無理に曲げないと、リム上面部３５４と一部の他の曲面を同時に接した状態とすることができないため、使用者が清掃のために必要とする力を手指Ｈにかけることが困難となる。従って、リム上面部３５４、リム内壁上部縁部３５２ａ及び内側面３５２ｂの清掃性に問題が生じることとなる。
【００５８】
再び、本発明の実施形態による水洗式大便器について説明する。
このように、上述した本発明の実施形態による水洗式大便器においては、リム内壁部５２が、リム内壁部５２の上部領域の内側が下方に傾斜するリム内壁上部傾斜面５２ａを備えている。従って、使用者が、リム部４６の拭き掃除を行う場合に、自身の手指がリム部４６の上面からリム内壁上部傾斜面５２ａの丸みに沿うように内側面５２ｂまでかかっている状態で、リム部４６のリム上面部５４、リム内壁上部傾斜面５２ａ及び内側面５２ｂを効率よく清掃することができる。さらに、リム部４６のリム上面部５４からリム内壁上部傾斜面５２ａ及び内側面５２ｂに比較的均等に力をかけながら拭き掃除をすることができるため、使用者が、拭き掃除をしようとする比較的強い力を容易にリム部全体にかけることができ、清掃性を向上させることができる。
【００５９】
また、リム内壁部５２が、リム内壁部５２の上部領域の内側が下方に傾斜するリム内壁上部傾斜面５２ａを備えている。よって汚物受け面４４の上方外側に形成されたリム内壁上部傾斜面５２ａが、汚物受け面４４がさらに外側に拡がっているような印象を使用者に与えることができ、ボウル部８を従来よりも比較的大きく見せることができ使用者に使用時に尿等をボウル部８内へ排出しやすいという安心感を与えることができる。
【００６０】
また、上述した本発明の実施形態による水洗式大便器１によれば、傾斜状の鉛直方向断面を有するリム内壁上部傾斜面５２ａが設けられているため、汚物受け面４４の上部が外側に広がるように視認されて使用者の視認性が向上されており、また、清掃性も向上されている。そして、後方領域を除く任意の鉛直方向断面において、リム内側面５２ｂの高さに対するリム内壁上部傾斜面５２ａの高さの比が０．２５〜１に調整されていることにより、洗浄水が遠心力によってリム内壁上部傾斜面５２ａを乗り越えて飛び出してしまうことが効果的に防止されている。更に、リム内側面５２ｂの高さに対するリム内壁上部傾斜面５２ａの高さの比が０．２５〜１に調整されていることは、いわゆる尿のかけ上がりを抑制する上でも効果的であることが確認されている。
【００６１】
また、上述した本発明の実施形態による水洗式大便器１によれば、リム内壁上部傾斜面５２ａは、円弧状の鉛直方向断面を有している。このようなリム内壁上部傾斜面５２ａは、比較的簡易に形成することができるし、拭き掃除を行う上でも便利である。特に、使用者が、リム部４６の拭き掃除を行う場合に、自身の手指がリム部４６のリム上面部５４からリム内壁上部傾斜面５２ａの円弧形状に沿うように内側面５２ｂまでかかっている状態で、リム部４６のリム上面部５４、リム内壁上部傾斜面５２ａ及び内側面５２ｂを効率よく清掃することができ、清掃性を向上することができる。
【００６２】
また、上述した本発明の実施形態による水洗式大便器１によれば、リム吐水口１４から吐水された洗浄水は、リム内壁上部傾斜面５２ａの下端５２ｃよりも下方の領域に沿って旋回されるので、洗浄水がリム内壁上部傾斜面５２ａを越えて便器外に水飛びすることを抑制することができる。また、このように洗浄水がリム内壁上部傾斜面５２ａの下端５２ｃよりも下方の領域に沿って旋回されるので、リム内壁上部傾斜面５２ａの幅や大きさを比較的大きく形成することができる。ただし、本発明はこのような実施形態に限定されるものではなく、例えば、リム吐水口１４にて洗浄水が到達する最大高さよりもリム内壁上部傾斜面５２ａの下端５２ｃの位置が高ければ、同様の効果を得ることができる。例えば、リム吐水口１４から吐水される洗浄水がリム吐水口１４の中心にまでしか高さが到達しない場合、リム内壁上部傾斜面５２ａの下端５２ｃをリム吐水口１４の中心よりも高い位置になるよう設ければよい。
【００６３】
また、上述した本発明の実施形態による水洗式大便器１によれば、リム内壁上部傾斜面５２ａを形成する円弧の半径が、使用者の手指の曲りによって握りやすい半径に形成されている。よって、使用者が、リム部４６の拭き掃除を行う場合に、自身の手指をリム内壁上部傾斜面５２ａを形成する円弧形状に沿うようにかけやすくなっている。
【００６４】
また、上述した本発明の実施形態による水洗式大便器１によれば、リム吐水口１４から所定の定流量の洗浄水を吐水させるための定流量手段を、定流量弁１６により比較的簡易に形成することができる。
【００６５】
ここで、図９に、本発明の第１実施形態による水洗式大便器１の複数の鉛直方向断面を示す。図９には、リム吐水口１４に対して水流方向下流側（洗浄水が比較的高速となる領域）に該当する最前部（Ａ）での鉛直方向断面、リム吐水口１４と左右対称な部位（Ｂ）での鉛直方向断面、水流方向に見てリム内壁部５２の平面視での曲率半径が減少する部位（Ｃ）での鉛直方向断面、最後部（Ｄ）での鉛直方向断面、部位（Ｃ）と左右対称な部位（Ｅ）での鉛直方向断面、リム吐水口１４が設けられている部位（部位（Ｂ）と左右対称な部位）（Ｆ）での鉛直方向断面が示されている。
【００６６】
部位（Ａ）でのリム内壁上部傾斜面５２ａの高さは、２２ｍｍであり、リム内側面５２ｂの高さは、５８ｍｍであり、両者の比は、０．３７である。
部位（Ｂ）でのリム内壁上部傾斜面５２ａの高さは、１６ｍｍであり、リム内側面５２ｂの高さは、３７ｍｍであり、両者の比は、０．４３である。
部位（Ｃ）でのリム内壁上部傾斜面５２ａの高さは、１４ｍｍであり、リム内側面５２ｂの高さは、４１ｍｍであり、両者の比は、０．３４である。
部位（Ｄ）でのリム内壁上部傾斜面５２ａの高さは、８ｍｍであり、リム内側面５２ｂの高さは、５４ｍｍであり、両者の比は、０．１５である。
部位（Ｅ）でのリム内壁上部傾斜面５２ａの高さは、１４ｍｍであり、リム内側面５２ｂの高さは、４１ｍｍであり、両者の比は、０．３４である。
部位（Ｆ）でのリム内壁上部傾斜面５２ａの高さは、１７ｍｍであり、リム内側面５２ｂの高さは、３５ｍｍであり、両者の比は、０．４９である。
【００６７】
以上の通り、本実施形態の場合、リム内側面５２ｂの高さに対するリム内壁上部傾斜面５２ａの高さの比は、リム吐水口１４の水流方向下流側の洗浄水が最速である部位（Ａ）での鉛直方向断面において、ボウル部８の前方側領域の他の部位（Ｂ）、（Ｆ）での鉛直方向断面におけるよりも小さくなっている。これにより、洗浄水がリム内壁上部傾斜面５２ａを乗り越えて飛び出してしまうことが効果的に防止されている。
【００６８】
また、リム吐水口１４の水流方向に見てリム部４６の平面視での曲率半径が減少する部位（Ｃ）での鉛直方向断面において、部位（Ａ）、（Ｂ）での鉛直方向断面と比較して、リム内側面５２ｂの高さに対するリム内壁上部傾斜面５２ａの高さの比が比較的小さくなっている。このような特徴も、遠心力の原理に照らして、洗浄水がリム内壁上部傾斜面５２ａを乗り越えて飛び出してしまうことを防止する上で有効である。
【００６９】
引き続いて、図１０に、本発明の第１実施形態の変形例による水洗式大便器１’の複数の鉛直方向断面を示す。図１０の水洗式大便器１’においては、リム吐水口１４’は、ボウル部８の右側上部前方に形成されており、ボウル部８の縁に沿って後方側へ洗浄水を吐出するようになっている。
【００７０】
図１０には、リム吐水口１４’に対して水流方向下流側（洗浄水が最速である領域）であって且つ水流方向に見てリム内壁部５２の平面視での曲率半径が減少する部位（Ａ）での鉛直方向断面、最後部（Ｂ）での鉛直方向断面、部位（Ａ）と左右対称な部位（Ｃ）での鉛直方向断面、リム吐水口１４’と左右対称な部位（Ｄ）での鉛直方向断面、最後部（Ｅ）での鉛直方向断面、リム吐水口１４’が設けられている部位（部位（Ｄ）と左右対称な部位）（Ｆ）での鉛直方向断面が示されている。
【００７１】
部位（Ａ）でのリム内壁上部傾斜面５２ａの高さは、１４ｍｍであり、リム内側面５２ｂの高さは、４１ｍｍであり、両者の比は、０．３４である。
部位（Ｂ）でのリム内壁上部傾斜面５２ａの高さは、８ｍｍであり、リム内側面５２ｂの高さは、５４ｍｍであり、両者の比は、０．１５である。
部位（Ｃ）でのリム内壁上部傾斜面５２ａの高さは、１４ｍｍであり、リム内側面５２ｂの高さは、４１ｍｍであり、両者の比は、０．３４である。
部位（Ｄ）でのリム内壁上部傾斜面５２ａの高さは、１７ｍｍであり、リム内側面５２ｂの高さは、３８ｍｍであり、両者の比は、０．４５である。
部位（Ｅ）でのリム内壁上部傾斜面５２ａの高さは、１８ｍｍであり、リム内側面５２ｂの高さは、６２ｍｍであり、両者の比は、０．２９である。
部位（Ｆ）でのリム内壁上部傾斜面５２ａの高さは、１７ｍｍであり、リム内側面５２ｂの高さは、３８ｍｍであり、両者の比は、０．４５である。
【００７２】
以上の通り、当該変形例の場合、リム内側面５２ｂの高さに対するリム内壁上部傾斜面５２ａの高さの比は、リム吐水口１４の水流方向下流側の洗浄水が最速である部位であって且つ水流方向に見てリム内壁部５２の平面視での曲率半径が減少する部位（Ａ）の鉛直方向断面において、他の部位（Ｄ）、（Ｆ）での鉛直方向断面におけるよりも小さくなっている。これにより、洗浄水がリム内壁上部傾斜面５２ａを乗り越えて飛び出してしまうことが効果的に防止されている。
【００７３】
次に、図１１により、本発明の第２実施形態による水洗式大便器を説明する。第２実施形態は、本発明の第１実施形態によるハイブリッド式の給水装置６において、リム吐水に関しては水道の水圧を利用して給水していたものを、本発明の第２実施形態によるハイブリッド式の給水装置１０６においては、リム吐水に関して給水源から供給される洗浄水を給水加圧ポンプ１０５により加圧した水圧を利用して給水を行うように、水洗式大便器に適用した例である。
【００７４】
図１１は本発明の第２実施形態による水洗式大便器において、カバー及び給水装置の一部を取り外した状態を示す概略平面図である。第２実施形態による水洗式大便器は、上述した第１実施形態による水洗式大便器と構造がほぼ同じであるため、ここでは、第２実施形態の第１実施形態とは異なる部分等を説明する。
【００７５】
図１１に示すように、第２実施形態による水洗式大便器１０１は、便器本体２の後方に配置された給水装置１０６を備えている。第２実施形態による水洗式大便器１０１の給水装置１０６においては、水道その他の給水源から止水栓４０ａ等を介して流入した洗浄水を、洗浄水タンク（図示せず）に貯水し、この洗浄水タンクの洗浄水を給水加圧ポンプ１０５により加圧（補圧）した給水圧力によりリム吐水口１４から洗浄水が吐出される。
【００７６】
給水装置１０６においては、本発明の第１実施形態による水洗式大便器１の給水装置６において定流量弁１６により洗浄水の瞬間流量を所定の瞬間流量以下に抑制していたのに対し、本発明の第２実施形態による水洗式大便器１０１の給水装置１０６においては、定流量弁１６に代えて、洗浄水タンク（図示せず）及び給水加圧ポンプ１０５を設け、給水加圧ポンプ１０５により洗浄水の瞬間流量を所定の瞬間流量以下に抑制する。
【００７７】
給水装置１０６は、止水栓４０ａと、給水源から供給される洗浄水を貯水する洗浄水タンク（図示せず）と、洗浄水を所定の範囲内の水圧まで加圧することができる給水加圧ポンプ１０５と、逆流防止用の逆止弁（リム吐水用フラッパー弁２２等）と、を有している。
【００７８】
給水加圧ポンプ１０５を通過した洗浄水は、リム吐水口１４に供給される。給水加圧ポンプ１０５は、洗浄水を、加圧して所定の流量（瞬間流量）以上となるように送出することができ、且つ加圧する程度を制御することにより、洗浄水を所定の流量（瞬間流量）以下となるように抑制しながら送出することができる。本実施形態においては、この給水加圧ポンプ１０５は、例えば、洗浄水の流量（瞬間流量）を１０リットル／分以上２０リットル／分以下（より好ましくは１２リットル／分以上１６リットル／分以下）に制限するようになっている。このように、給水加圧ポンプ１０５は、洗浄水の流量を所定の瞬間流量以下に抑制することができ、また、洗浄水の流量を所定の瞬間流量以上に維持することもできる。従って、給水加圧ポンプ１０５は、洗浄水の瞬間流量が変動する場合に、供給する洗浄水の流量を所定の瞬間流量以上且つ所定の瞬間流量以下の所定の瞬間流量の範囲内に維持することができる。
【００７９】
第２実施形態による水洗式大便器１０１においても、第１実施形態による水洗式大便器１と同様に、リム内壁部５２が、リム内壁部５２の上部領域の内側が下方に傾斜するリム内壁上部傾斜面５２ａを備え、汚物受け面４４の上部が外側に広がるように視認される使用者の視認性を向上させ且つ使用者のリム部４６の清掃性を向上させようとする水洗式大便器１０１において、リム内壁部５２の上部領域の内側が下方に傾斜するリム内壁上部傾斜面５２ａが形成されるため、リム内壁上部傾斜面５２ａまで縦方向に直線状に延びる内側面５２ｂの高さが比較的低い高さに形成される。
【００８０】
従って、内側面５２ｂの高さが比較的低い高さに形成されている場合においても、給水装置１０６の給水加圧ポンプ１０５が、リム吐水口１４から所定の定流量の洗浄水を吐水させることができ、リム吐水口１４から吐水させる洗浄水が比較的高い瞬間流量になることを防ぎ、洗浄水が、比較的低い高さに形成されている内側面５２ｂからリム内壁上部傾斜面５２ａに沿って、遠心力によりボウル部８の外側に飛び出してしまうことを抑制することができる。
【００８１】
また、上述した本発明の実施形態による水洗式大便器１０１によれば、リム吐水口１４から所定の定流量の洗浄水を吐水させるための定流量手段を、給水加圧ポンプ１０５により比較的簡易に形成することができる。
【００８２】
次に、図１２により、本発明の第３実施形態による水洗式大便器を説明する。第３実施形態は、本発明の第１実施形態によるハイブリッド式の給水装置６において、リム吐水に関しては水道の水圧を利用して給水していたものを、本発明の第３実施形態によるハイブリッド式の給水装置２０６においては、本発明の第１実施形態によるハイブリッド式の給水装置６の第１給水系統に加えて、給水源からの洗浄水を洗浄水タンク（図示せず）に貯水し、この洗浄水タンクの洗浄水を給水加圧ポンプ２０５により加圧（補圧）した給水圧力により給水を行う第２給水系統を並列的に増やした給水装置を、水洗式大便器に適用した例である。
【００８３】
図１２は本発明の第３実施形態による水洗式大便器において、カバー及び給水装置の一部を取り外した状態を示す概略平面図である。第３実施形態による水洗式大便器は、上述した第１実施形態による水洗式大便器及び第２実施形態による水洗式大便器と構造がほぼ同じであるため、ここでは、第３実施形態の第１実施形態及び第２実施形態とは異なる部分等を説明する。
【００８４】
図１２に示すように、第３実施形態による水洗式大便器２０１は、便器本体２の後方に配置された給水装置２０６を備えている。第３実施形態による水洗式大便器２０１の給水装置２０６は、水道その他の給水源から流入した洗浄水が止水栓４０ａ等を通過した後に分岐されるようになっている。分岐された一方の流路が、本発明の第１実施形態に示すような、水道等の直圧の給水圧力により給水され、定流量弁１６を介してリム吐水口１４に至るリム吐水の第１給水系統２１４ａと接続され、分岐された他方の流路が、洗浄水を洗浄水タンク（図示せず）に貯水し、この洗浄水タンクの洗浄水を給水加圧ポンプ２０５により加圧（補圧）した給水圧力によりリム吐水口１４から吐水させるリム吐水の第２給水系統２１４ｂと接続されるようになっている。
【００８５】
第１給水系統２１４ａにおいては、給水装置２０６は、給水源から供給される洗浄水の流量を所定の流量（瞬間流量）以下に抑制する定流量弁１６及び電磁弁１８を有している。
第２給水系統２１４ｂにおいては、水道その他の給水源から供給される洗浄水を貯水する洗浄水タンクと、洗浄水タンクの洗浄水（洗浄水タンクから供給される洗浄水）を所定の範囲内の水圧まで加圧することができる給水加圧ポンプ２０５と、逆流防止用の逆止弁（リム吐水用フラッパー弁等）２２２と有している。
【００８６】
第１給水系統２１４ａ及び第２給水系統２１４ｂは、並列に形成され、リム吐水口１４に至る前に合流されている。従って、給水装置２０６においては、第１給水系統２１４ａ又は第２給水系統２１４ｂのいずれかを通じて所定流量のリム吐水を行うことができる。
【００８７】
給水加圧ポンプ２０５は、洗浄水を、加圧して所定の流量（瞬間流量）以上となるように送出することができ、且つ加圧する程度を制御することにより、洗浄水を所定の流量（瞬間流量）以下となるように抑制しながら送出することができる。本実施形態においては、この給水加圧ポンプ２０５は、例えば、洗浄水の流量（瞬間流量）を１６リットル／分以下に制限するようになっている。このように、給水加圧ポンプ２０５は、洗浄水の流量を所定の瞬間流量以下に抑制することができ、また、洗浄水の流量を所定の瞬間流量以上に維持することもできる。従って、給水加圧ポンプ２０５は、洗浄水の瞬間流量が変動する場合に、供給する洗浄水の流量を所定の瞬間流量以上且つ所定の瞬間流量以下の所定の瞬間流量の範囲内に維持することができる。
【００８８】
第３実施形態による水洗式大便器２０１においても、第１実施形態による水洗式大便器１と同様に、リム内壁部５２が、リム内壁部５２の上部領域の内側が下方に傾斜するリム内壁上部傾斜面５２ａを備え、汚物受け面４４の上部が外側に広がるように視認される使用者の視認性及び使用者のリム部４６の清掃性を向上させようとする水洗式大便器２０１において、リム内壁部５２の上部領域の内側が下方に傾斜するリム内壁上部傾斜面５２ａが形成されるため、リム内壁上部傾斜面５２ａまで縦方向に直線状に延びる内側面５２ｂの高さが比較的低い高さに形成される。
【００８９】
従って、内側面５２ｂの高さが比較的低い高さに形成されているような場合においても、定流量弁１６が、リム吐水口１４から吐水される洗浄水の瞬間流量を一定に保つことができ、又は、給水装置２０６の給水加圧ポンプ２０５が、リム吐水口１４から所定の定流量の洗浄水を吐水させることができ、リム吐水口１４から吐水させる洗浄水が比較的高い瞬間流量になり、洗浄水が、遠心力により比較的低い高さに形成されている内側面５２ｂからリム内壁上部傾斜面５２ａに沿って、ボウル部８の外側に飛び出してしまうことを抑制することができる。
【符号の説明】
【００９０】
１、１’  水洗式大便器
２        便器本体
４        カバー
６        給水装置
８        ボウル部
８ａ      前端
１０      排水トラップ管路
１０ａ    入口部
１０ｂ    トラップ上昇管
１０ｃ    トラップ下降管
１２      ジェット吐水口
１４、１４’  リム吐水口
１４ａ    リム側給水路
１４ｂ    頂部
１６      定流量弁
１８      電磁弁
２０      リム吐水用バキュームブレーカ
２２      リム吐水用フラッパー弁
２４      給水路
２６      切替弁
２８      貯水タンク
２８ａ    タンク側給水路
２８ｂ    上端フロートスイッチ
２８ｃ    下端フロートスイッチ
３０      加圧ポンプ
３０ａ    洗浄水管路
３０ｂ    洗浄水管路
３２      ジェット吐水用バキュームブレーカ
３２ａ    分岐管路
３４      ジェット吐水用フラッパー弁
３６      水抜栓
３８      コントローラ
４０ａ    止水栓
４０ｂ    ストレーナ
４０ｃ    分岐金具
４２      洗浄水管路頂部
４４      汚物受け面
４４ａ    上端
４６      リム部
４８      溜水部
５０      導水路
５０ａ    入口部
５２    リム内壁部
５２ａ    リム内壁上部傾斜面
５２ｂ    内側面
５２ｃ    下端
５２ｄ    上端
５４      リム上面部
５６      リム外壁部
５６ａ    リム外壁上部傾斜面
５６ｂ    リム外壁
５６ｃ    下端
５６ｄ    上端
１０１    水洗式大便器
１０５    給水加圧ポンプ
１０６    給水装置
２０１    水洗式大便器
２０５    給水加圧ポンプ
２０６    給水装置
２１４ａ  第１給水系統
２１４ｂ  第２給水系統
２２２    逆止弁
３０１    水洗式大便器
３４６    リム部
３５２ａ  リム内壁上部縁部
３５２ｂ  内側面
３５４    リム上面部
３５６ａ  リム外壁上部傾斜面
Ｈ        手指
Ｈａ      掌
Ｈｂ      根側部分
Ｈｃ      関節部分
Ｈｄ      指先部分
ｒ        半径
Ｒ        半径
Ｗ0       溜水面
Ｗ１      幅
Ｗ２      幅
Ｗ３      幅
【図１】
0006751505.tif 000002
【図２】
0006751505.tif 000003
【図３】
0006751505.tif 000004
【図４】
0006751505.tif 000005
【図５】
0006751505.tif 000006
【図６】
0006751505.tif 000007
【図７】
0006751505.tif 000008
【図８】
0006751505.tif 000009
【図９】
0006751505.tif 000010
【図１０】
0006751505.tif 000011
【図１１】
0006751505.tif 000012
【図１２】
0006751505.tif 000013